(57)【要約】      （修正有）【課題】空中映像を表示出力し入力インタフェースとして用いた入出力装置において、入力された暗証入力等の機密情報機を保護する。【解決手段】入出力装置は、表示部５と、制御部７を備える。表示部５は、三次元空間に表示される入出力画面４とは別の空間に存在する。制御部７は、利用者以外は入出力画面４を撮影することができないように、入出力画面４を利用者の方向に進む光の光学結像にて表示する。【選択図】図２
2020067838.tif 000002
【特許請求の範囲】
【請求項１】
所定の映像を表示する表示部と、
前記表示部に表示される前記映像を利用者が視認可能な三次元空間に投射することにより入出力画面として空中に結像させる結像機構部と、
所定の制御を行う制御部と、を有し、
前記表示部は、
前記三次元空間に表示される前記入出力画面とは別の空間に存在し、
前記制御部は、
前記利用者以外は前記入出力画面を撮影することができないように、前記入出力画面を前記利用者の方向に進む光の光学結像にて表示することを特徴とする入出力装置。
【請求項２】
前記利用者による前記入出力画面への空中操作を検出する入力検知センサを更に有し、
前記制御部は、
前記入出力画面の現画像を前記表示部に表示し、
前記入力検知センサからの入力信号に基づいて、前記表示部の表示内容を更新することを特徴とする請求項１に記載の入出力装置。
【請求項３】
外部からの破壊行為を検知する破壊行為検知機構を更に有し、
前記制御部は、
前記破壊行為検知機構が前記破壊行為を検知した場合、内部に保存された機密情報を自動的に消去することを特徴とする請求項１に記載の入出力装置。
【請求項４】
前記破壊行為検知機構は、
前記表示部に配置された第１の導電物と、
前記第１の導電物を前記制御部に接続する第１の導電性媒体と、
前記入力検出センサに配置された第２の導電物と、
前記第２の導電物を前記制御部に接続する第２の導電性媒体と、
前記制御部を覆う保護機構と、
前記保護機構を前記制御部に接続する第３の導電性媒体と、
を有することを特徴とする請求項３に記載の入出力装置。
【請求項５】
前記制御部は、
前記表示部が前記第１の導電物と接触していない又は前記第１の導電性媒体との接続が絶たれた場合に前記表示部が取り外されたと判定し、前記破壊行為を検知した場合に該当するとして前記内部に保存された機密情報を自動的に消去することを特徴とする請求項４に記載の入出力装置。
【請求項６】
前記制御部は、
前記入力検知センサが前記第２の導電物と接触していない又は前記第２の導電性媒体との接続が絶たれた場合に前記入力検知センサが取り外されたと判定し、前記破壊行為を検知した場合に該当するとして、前記内部に保存された機密情報を自動的に消去することを特徴とする請求項４に記載の入出力装置。
【請求項７】
前記制御部は、
前記保護機構と前記第３の導電性媒体との接続が絶たれた場合に前記保護機構が取り外されたと判定し、前記破壊行為を検知した場合に該当するとして、前記内部に保存された機密情報を自動的に消去することを特徴とする請求項４に記載の入出力装置。
【請求項８】
前記利用者の顔を検知する検知装置と、
前記検知装置が検知した前記利用者の顔に基づいて、前記入出力画面の結像位置が前記利用者の顔へ向くように前記入出力装置を回転する回転機構と、
を更に有することを特徴とする請求項１に記載の入出力装置。
【請求項９】
前記入出力画面の後方に配置され、前記入出力画面の影響を受けることなく前記入出力画面の後方から前記利用者を撮影するカメラを更に有することを特徴とする請求項１に記載の入出力装置。
【請求項１０】
請求項１に記載の入出力装置と、
前記空中に表示される前記入出力画面の奥側に配置される利用者操作部と、を有し、
前記利用者の暗証情報の入力を伴って取引を行う自動取引装置であって、
前記入出力画面は前記暗証情報を入力するための鍵盤配列を有し、前記入出力画面に対して前記鍵盤配列の配列を前記入出力画面内で表示毎にランダムに変更可能に構成し、
前記入出力画面を前記空中に表示した状態で、前記入出力画面を突き抜けて紙幣口、明細票口又はカード口を介して紙幣、カード又は明細票の挿入及び抜き取り操作を可能に構成したことを特徴とする自動取引装置。
【発明の詳細な説明】
【技術分野】
【０００１】
本発明は、入出力装置及び自動取引装置に関する。
【背景技術】
【０００２】
近年、仮想現実（Ｖｉｒｔｕａｌ  Ｒｅａｌｉｔｙ）あるいは拡張現実現（Ａｕｇｍｅｎｔｅｄ  Ｒｅａｌｉｔｙ）という形で、実像を伴わないコミュニケーション手段が普及してきている。
【０００３】
例えば、特許文献１に記載のように、空中結像技術の進歩によって、空中映像を入力インタフェースとして用いた入力装置が実用化されつつある。
【０００４】
一方で、暗証入力等の機密情報の入力を目的とした暗証入力装置は、常に機密情報詐取による犯罪行為に対抗する手段を講じるための改善が進められている。
【先行技術文献】
【特許文献】
【０００５】
【特許文献１】特開２０１７−６２７０９号公報
【発明の概要】
【発明が解決しようとする課題】
【０００６】
現在の暗証入力装置は、入力の詐取を防止することを目的とした覗き見防止カバー等を併用することが一般的である。しかし、一方で、覗き見防止カバーにカメラを設置されることにより、暗証番号を詐取する犯罪が発生している。
【０００７】
また、暗証入力装置の鍵盤面に、鍵盤を模したデータ取得機能を有するフィルムを貼り付けることにより、暗証番号を詐取する犯罪が発生している。
【０００８】
このような機密情報詐取による犯罪行為に対抗する手段として、特許文献１のような空中映像を入力インタフェースとして用いた入力装置を用いることが考えられる。
【０００９】
しかし、特許文献１は単なる入出力インタフェースとしての機能は有するが、入力された情報が暗証入力等の機密情報である場合、その機密情報を保護する機能を有していない。このため、暗証入力や署名のような機密情報を扱う装置として実用化するには安全性に欠いている。
【００１０】
本発明の目的は、空中映像を表示出力し入力インタフェースとして用いた入出力装置において、入力された暗証入力等の機密情報機を保護することにある。
【課題を解決するための手段】
【００１１】
本発明の一態様の入出力装置は、所定の映像を表示出力する表示部と、前記表示部に表示される前記映像を利用者が視認可能な三次元空間に投射することにより入出力画面として空中に結像させる結像機構部と、所定の制御を行う制御部とを有し、前記表示部は、前記三次元空間に表示される前記入出力画面とは別の空間に存在し、前記制御部は、前記利用者以外は前記入出力画面を撮影することができないように、前記入出力画面を前記利用者の方向に進む光の光学結像にて表示することを特徴とする。
【発明の効果】
【００１２】
本発明の一態様によれば、空中映像を表示出力し入力インタフェースとして用いた入出力装置において、入力された暗証入力等の機密情報機を保護することができる。
【図面の簡単な説明】
【００１３】
【図１】実施例１の入出力装置の構成を示す図である。
【図２】入力部本体の側断の詳細を示す図である。
【図３Ａ】実施例２の入出力装置の構成を示す図である。
【図３Ｂ】実施例２の入出力装置の構成を示す図である。
【図４】実施例２の入出力装置の他の構成を示す図である。
【図５】一般的な鍵盤配列の一例を示す図である。
【図６】暗証入力キー配置の一例を示す図である。
【図７Ａ】暗証入力キー配置の他の例を示す図である。
【図７Ｂ】暗証入力キー配置の他の例を示す図である。
【図８】自動預払機に適用した入出力装置の一例を示す図である。
【図９】接客窓口に適用した入出力装置の一例を示す図である。
【発明を実施するための形態】
【００１４】
以下、図面を参照して、実施例について説明する。
【実施例１】
【００１５】
図１及び図２を参照して、実施例１の入出力装置の構成について説明する。
実施例１は、空中映像を用いた入力インタフェースを利用して機密情報の入力を扱う入出力装置に関する。
【００１６】
図１に示すように、入出力装置１は、結像機構部２、入出力部本体３及び空中に結像された入出力画面４を有する。
【００１７】
結像機構部２は、入出力部本体３に表示された画像の光源を、光の反射および透過を用いて入出力画面４として空中に結像させる機能を有する。入出力画面４に表示される映像は、入出力部本体３に表示される映像と等価である。利用者は、空中に結像された入出力画面４を操作して情報を入力する。入出力装置１の利用者に対する入力インタフェースは入出力画面４であるが、空中に結像された入出力画面４への入力操作は、直接入出力部本体３を操作して入力するに等しい。更に、入出力部本体３は破壊検知機能を有し、機密情報の保護機能を有する。
【００１８】
図２を参照して、入出力部本体３の構成について説明する。
図２に示すように、入出力部本体３は、表示部５、入力検出センサ６及び制御部７を有する。表示部５は空中に結像させる入出力画面４と等価の映像を表示する。入力検知センサ６は入出力画面４への空中操作を検出する。
【００１９】
表示部５には板金に代表される導電物８が配置され、電線および導電ゴムに代表される導電性媒体１０により制御部７に接続されている。更に、表示部５は映像信号線１４により制御部７と接続され、表示部５の画像を入出力画面４として表示する。
【００２０】
入力検出センサ６には、板金に代表される導電物９が配置され、電線および導電ゴムに代表される導電性媒体１１により制御部７に接続されている。更に、入力検出センサ６は信号線１３により制御部７と接続されている。
【００２１】
入力検出センサ６は、入出力部本体３の内部に搭載される。表示部５もしくは入力検知センサ６、もしくはその両方が導電物８、導電物９と接触していない、あるいは導電性媒体１０、導電性媒体１１との接続が絶たれた場合、表示部５あるいは入力検出センサ６が取り外されたことを制御部７が検出する。そして、制御部７は、入出力部本体３への破壊行為が発生したと認識し、内部の機密情報を消去する機能を有する。ここで、図２では、入力検出センサ６は、入出力部本体３の内部に搭載されているが、入出力部本体３の外部に搭載しても良い。
【００２２】
また、制御部７は、電気信号線が網目状に付された保護機構１５に覆われている。制御部７と保護機構１５とは導電性媒体１２にて接続されている。そして、保護機構１５が取り外されるあるいは網目状の電気信号線が切断された場合、制御部７が入出力部本体３への破壊行為が発生したと認識し、内部の機密情報を消去する。
【００２３】
制御部７は、入出力画面４の現画像を表示部５に表示し、入力検知センサ６からの入力信号に基づいて表示部５の表示内容を更新する。また、制御部７は、破壊行為を検出して内部の機密情報を消去する機能を有すると共に、外部との通信機能を有する。
【実施例２】
【００２４】
図３Ａ、図３Ｂ及び図４を参照して、実施例２の入出力装置の構成について説明する。実施例２は、入出力画面４を利用者に対して最適の位置で結像させるためのものである。
【００２５】
図３Ａに示すように、入出力装置１は、顔検知もしくは視線検知が可能な検知装置１６を搭載している。さらに、図３Ａ及び図３Ｂに示すように、入出力装置１は、検知装置１６が利用者の顔もしくは視線を検出した結果に基づいて、入出力画面４の結像位置が利用者の顔へ向くように入出力装置１を回転する回転機構４０を有する。
【００２６】
検知装置１６の検出範囲１７にて、利用者の身長が低い場合、高い場合、利用者が入出力画面４に対して右方向に立っている場合及び左方向に立っている場合に応じて、利用者の顔の位置に向けて入出力装置１及び入出力画面４が向きを変える。回転機構４０により、入出力画面４は、常に利用者に対して最適な状態で表示され、且つ、利用者からしか見えない入出力装置１を実現できる。
【００２７】
図３Ａ及び図３Ｂは、入出力画面４が向きを変える一例として、利用者の身長差により、上下方向に結像位置を変更する状態を示す。同様の構成にて、利用者の立ち位置に合わせて左右方向に結像方向を変更することも可能となる。
【００２８】
図４は、図３で示す検出装置１６にカメラ１９用いた場合の一例を示す。
図４に示すように、入出力画面４を結像する光は光線１８の如く進むため、入出力画面４より後方に設置したカメラ１９の方向には光線１８が届かず、カメラ１９には入出力画面４が写らない。従って、カメラ１９では入出力画面４の影響を受けることなく、入出力画面４の後方から利用者を撮影することが可能となる。
【実施例３】
【００２９】
図５、図６、図７Ａ及び図７Ｂを参照して、実施例３の入出力装置の構成について説明する。図５は、暗証入力装置として一般的な鍵盤配列の一例を示す。図６、図７Ａ及び図７Ｂは、利用者が入出力画面４に対して操作する手の動きを撮影することによる機密情報の推察を困難とし、機密情報入力の安全性を更に向上させる一例を示す。
【００３０】
図６は、入出力画面４に対して図５で示す鍵盤配列の配置を、暗証入力キー２０のように変更したものである。配列は入出力画面４内で表示毎にランダムで変更できる。
【００３１】
図７Ａは、入出力画面４内に、任意に配置される各暗証入力キー２１、２２と、暗証表示部２３で構成される。暗証入力キー２１をスライド操作することにより、暗証表示部２３へ移動Ａ２４のように移動させる。同様に、暗証入力キー２２をスライド操作することにより、暗証表示部２３へ移動２５のように移動させる。
【００３２】
図７Ｂに示すように、暗証の桁数に応じて、この暗証入力キー２１、２２の移動を繰り返すことにより、暗証番号２６が確定される。また、入出力画面４内に表示する各暗証入力キー２１、２２は、表示毎にランダムで変更できる。
【実施例４】
【００３３】
図８は、実施例１〜３の入出力装置を現金自動預払機に応用する一例を示す。
現金自動預払機２７の利用者操作部８０に入出力画面４を配置する。入出力画面４とは別に、主表示画面２８を併用し、操作メニューもしくはアナウンスを主表示画面２８に表示する。機密情報の入力もしくは表示時のみ、入出力画面４に表示することができる。
【００３４】
また、紙幣の入出金を含む現金自動預払機への紙幣、カード及び明細票の挿入及び抜き取り操作は、入出力画面４が表示された状態でも、入出力画面４を突き抜けて紙幣口、明細票口及びカード口を介して操作できる。
【実施例５】
【００３５】
図９は、実施例１〜３の入出力装置１を有人接客窓口に応用する一例を示す。
一例として、宝くじ発券および当選換金窓口では、受付カウンター２９に、媒体受け渡し口３１を付した仕切り板３０を設置する。これにより、利用者と係員との間を、媒体受け渡し可能な仕切りで隔てる形態が一般的である。
【００３６】
更に、利用者への入出力用機器は、媒体受け渡しを妨げないよう、媒体受け渡し口３１を避けて設置されている。このため、覗き見防止の観点においても、宝くじの当選換金の際、高額当選にかかわる表示は明確に表示しない形態が一般的である。
【００３７】
こうした形態の窓口に、実施例１〜３の入出力装置１の入出力画面４を、媒体受け渡し口３１に重ねて投影することで、入出力画面４に表示される高額当選にかかわる情報は、利用者以外からは視認できない。この結果、入出力画面４を突き抜けて媒体受け渡し口３１を使用して係員との媒体受け渡しも可能となる。
【００３８】
以上のように、実施例によれば、入出力装置を空中結像で実現することにより、入出力画面の実態が存在しないため、鍵盤を模したフィルムは貼れることはできない。また、空中像は光の進行方向でのみ結像するため、光の進行方向以外からの視認はできない。この特性を活かし、利用者の位置を検出し、常に結像位置が利用者の正面である機構を有することで、覗き見防止カバーを不要となる。また、光の進行方向からしか撮影できないため、入出力装置上部もしくは側面に設置される詐取目的のカメラを無効力とすることができる。
【００３９】
また、空中像を投影する入出力装置自身に破壊検知機能を持たせることにより、入力データの詐取が極めて困難になる。
【００４０】
さらに、入出力画面を撮影できなくても、利用者の空中での手の動きを撮影することにより暗証番号の推察が可能となることが考えられる。このため、入出力画面に表示する英数字および入力を補助する文言の表示位置を変更することで手の動きによる機密情報の推察を防ぐことができる。
【００４１】
このように、実施例によれば、入力される機密情報を入出力装置から詐取することが困難となる。この結果、機密情報の入力の安全性を向上できると共に、空中結像を応用することで入出力装置としての利便性が向上する。
【符号の説明】
【００４２】
１  入出力装置
２  結像機構部
３  入出力部本体
４  入出力画面
５  表示部
６  入力検出センサ
７  制御部
８  導電物
９  導電物
１０  導電性媒体
１１  導電性媒体
１２  導電性媒体
１３  映像信号線
１４  信号線
１５  保護機構
１６  検知装置
１９  カメラ
２０  暗証入力キー
２１  暗証入力キー
２２  暗証入力キー
２３  暗証表示部
２７  現金自動預払機
２８  主表示画面
２９  受付カウンター
３０  仕切り板
３１  媒体受け渡し口
４０  回転機構
８０  利用者操作部
【図１】
2020067838.tif 000003
【図２】
2020067838.tif 000004
【図３Ａ】
2020067838.tif 000005
【図３Ｂ】
2020067838.tif 000006
【図４】
2020067838.tif 000007
【図５】
2020067838.tif 000008
【図６】
2020067838.tif 000009
【図７Ａ】
2020067838.tif 000010
【図７Ｂ】
2020067838.tif 000011
【図８】
2020067838.tif 000012
【図９】
2020067838.tif 000013